(57)【要約】【課題】本発明の目的は、周囲の磁性体の影響を受けず、かつ、スペースをほとんど増加しないスマートカード用リードライド装置を提供することである。【解決手段】認識された有価情報に基づいて価値媒体を払い出す装置において、装置のほぼ直立する前面カバーに形成されたユニット装着開口と、通信用アンテナを内蔵した板状のユニットケースを備え、前記ユニット装着開口から前記ユニットケースを斜め下方に向けて突出させ、その下端部が前記前面カバーよりも前方に突出したスマートカード用リードライド装置である。【選択図】図４
2004227092.tif 000002
【特許請求の範囲】
【請求項１】
認識された有価情報に基づいて有価媒体を払い出す装置において、装置（１０）のほぼ直立する前面カバー（１２）に形成されたユニット装着開口（３７）と、通信用アンテナ（２２Ａ，２２Ｂ，２２Ｃ，２２Ｄ）を内蔵した板状のユニットケース（１４）を備え、前記ユニット装着開口（３７）から前記ユニットケース（１４）を斜め下方に向けて突出させ、前記ユニットケース（１４）の下端部が前面カバー（１２）よりも前方に突出しているスマートカード用リードライド装置。
【請求項２】
前記ユニット装着開口（３７）が、前記前面カバー（１２）から装置（１０）の内方へ向かって斜め下方に伸びる下向き傾斜部（３４）と、その下向き傾斜部（３４）に実質的に続いて前記前面カバー（１２）へ向かって斜め下方に伸びる上向き傾斜部（３６）によって形成され、前記ユニットケース（１４）が前記下向き傾斜部（３４）に形成されたスリット型の前記ユニット装着開口（３７）から前記上向き傾斜部（３６）に対し所定の間隔で斜め下方に突出する請求項１のスマートカード用リードライド装置。
【請求項３】
前記ユニットケース（１４）が、前記ユニット装着開口（３７）側に位置する挿入開口（１９Ａ，１９Ｂ，１９Ｃ，１９Ｄ）を有する袋状のアンテナ穴（２１Ａ，２１Ｂ，２１Ｃ，２１Ｄ）と、前記アンテナ穴（２１Ａ，２１Ｂ，２１Ｃ，２１Ｄ）に挿入したアンテナ基板（１５Ａ，１５Ｂ，１５Ｃ，１５Ｄ）と、前記挿入開口（１９Ａ，１９Ｂ，１９Ｃ，１９Ｄ）から挿入して前記アンテナ基板（１５Ａ，１５Ｂ，１５Ｃ，１５Ｄ）の位置を保持するサポータ（２５）とを備える請求項２のスマートカード用リードライド装置。
【発明の詳細な説明】
【０００１】
【発明が属する技術分野】
本発明は、有価情報を識別してそれに見合った有価媒体を払い出す装置に関する。
詳しくは、スマートカード（非接触型ＩＣカード）に記憶した有価情報を通信装置を介して識別し、その識別した有価情報に基づいて有価媒体を払い出す両替装置に関する。
なお、本明細書で使用する「有価情報」は、金額情報、ポイント情報等、金額に換算できる情報の総称である。
「有価媒体」は、貨幣、ゲーム機用メダル、トークン、商品等、金額に換算できる媒体の総称である。
【０００２】
【従来の技術】
有価情報に基づいて有価媒体を払い出す装置として、両替装置が知られている。両替装置は、紙幣及び硬貨の投入口、それら貨幣の有価情報に基づいて有価媒体を払い出す払出装置及び払出装置から払い出された有価媒体の受け取り口を有している。（特開平９−１８００２２号参照）
【０００３】
近年、情報機器の発達に伴い、埋設したＩＣカードに非接触で情報をリードライトするスマートカードに、有価情報を記憶させて商決済を行うことが普及しつつある。
そのため、スマートカードによって有価媒体を払い出す両替装置の出現が要望されている。
【０００４】
【発明が解決しようとする課題】
この要望に応えるため、従来の貨幣の受け入れ装置に代えて、スマートカードと通信を行うアンテナ及びスマートカードに記憶された有価情報を識別し、かつ、金額処理をするための処理装置を装着することが考えられる。
しかし、両替装置は有価媒体を多量に内蔵し、かつ、有価情報を処理するため、容易に壊されたり悪戯されないよう、金属ケースにより強固に作られている。
【０００５】
一方、アンテナは、電磁波を使って通信を行うので、通信アンテナの近傍に磁性金属が存在する場合、その電磁波が磁性金属に吸収され、減衰してしまう。
このため、金属ケースにアンテナを単に附設した場合、スマートカードとの通信ができないという問題がある。
また、スマートカードは板状であるため、端部を親指の先端部と人差し指の中間で摘んでアンテナに翳されることが多い。
【０００６】
アンテナを両替装置の前面から突出させて両替装置の垂直部と平行に配置する場合、スマートカードを持った手が両替装置に触れないよう垂直部から十分に離す必要があり、両替装置の設置面積が大きくなるという問題がある。
また、利用者がアンテナに接触して怪我をする恐れもある。
さらに、両替装置前面のアンテナ突出用の開口が大きくなり、この開口から破壊されて内部の有価媒体を盗まれる危険性も増加する。
【０００７】
一方、これを解決するため、特開平１１−３５３４２７号に開示されるように、台座上にアンテナを設置することが考えられるが、両替装置と台座を配置するため、設置スペースが増加するという問題がある。
両替装置を台座の代わりにすることが考えられるが、両替装置の背が低くなって有価媒体の保留量が大幅に減少するという問題がある。
【０００８】
本発明の第１の目的は、装置のケースを構成する磁性体の影響を受けず、かつ、設置スペースをほとんど増加しないスマートカード用リードライド装置を提供することである。
本発明の第２の目的は、手に持ったスマートカードを接触（含む近接）させ易いスマートカード用リードライド装置を提供することである。
本発明の第３の目的は、スマートカード用リードライド装置に起因して破壊されにくいスマートカード用リードライド装置を提供することである。
本発明の第４の目的は、スマートカード用リードライド装置によって利用者が怪我をすることがないスマートカード用リードライド装置を提供することである。
【０００９】
【課題を解決するための手段】
この目的を達成するため、本発明は次のように構成されている。
認識された有価情報に基づいて有価媒体を払い出す装置において、装置のほぼ直立する前面カバーに形成されたユニット装着開口と、通信用アンテナを内蔵した板状のユニットケースを備え、前記ユニット装着開口から前記ユニットケースを斜め下方に向けて突出させ、前記ユニットケースの下端部が前記前面カバーよりも前方に突出しているスマートカード用リードライド装置である。
【００１０】
この構成において、通信用アンテナを内蔵した板状のユニットケースは、ユニット装着開口から装置のほぼ直立する前面カバーに対し斜め下方に突出している。これにより、ユニットケースは、磁性材の前面カバーから十分離れた位置に保持される。
【００１１】
さらに、通信用アンテナが内蔵されたユニットケースが装置の前面カバーに対し斜めに取り付けられているので、前面カバーからの突出量が少なくても通信用アンテナを配置する面積を確保できると共に通信用アンテナと前面カバーとを所定距離以上離すことができる。
このため、通信用アンテナの電磁波が前面カバーによって減衰されることがないので、通信不良を生じることが無い。
【００１２】
また、ユニットケースの下端部は前面カバーから突出しているので、その下端部と前面カバーの距離が十分離れている。
したがって、スマートカードを親指と人差し指で摘んでユニットケース上面に翳した場合、小指部が前面カバーに接触することが無いので、カードのタッチ動作がし易い利点がある。
【００１３】
さらに、ユニットケースの下端の突出量に比し、表面の面積が十分とれるので、装置の設置スペースの増加が少ない利点がある。
加えて、前面カバーからのユニットケースの突出量が少ないので、利用者が怪我をする恐れもない。
また、ユニットケースは、板状であり、その板状の面がユニット装着開口に連続して突出しているので、装着開口の面積は十分に小さく、装置破壊の起点になりにくく、盗難の危険性が大幅に低下する。
【００１４】
本発明は、ユニット装着開口が、前面カバーから装置の内方へ向かって斜め下方に伸びる下向き傾斜部と、その下向き傾斜部に実質的に続いて前記前面カバーへ向かって斜め下方に伸びる上向き傾斜部によって形成され、ユニットケースが前記下向き傾斜部に形成されたスリット型の前記ユニット装着開口から前記上向き傾斜部に対し所定の間隔で斜め下方に突出することが好ましい。
【００１５】
この構成において、ユニット装着開口は、前面カバーから装置内方へ向かって斜め下方に伸びる下向き傾斜部に形成されている。
換言すれば、ユニット装着開口は、装置の内方に位置しているので、ユニットケースの前面カバーからの突出量は更に少なくなり、設置スペースの増加量が極めて小さい。
さらに、ユニットケースが上向き傾斜部に対し所定の間隔で配置されるので、前面カバーによるアンテナからの電磁波の減衰を防止でき、通信エラーを生じることがない。
【００１６】
本発明は、ユニットケースが、前記ユニット装着開口側に位置する挿入開口を有する袋状のアンテナ穴と、前記アンテナ穴に挿入したアンテナ基板と、前記挿入開口から挿入して前記アンテナ基板の位置を保持するサポータとを備えることが好ましい。
【００１７】
この構成において、板状のユニットケースは、ユニット装着開口側に位置する挿入開口を有している。
換言すれば、板の端面が開口しており、その挿入開口からアンテナ穴内にアンテナ基板を挿入し、その後、その挿入開口からサポータを挿入してアンテナの位置を保持する。
そして、ユニットケースはユニット装着開口から斜め下方に向けて突出しているので、その挿入開口は装置内に位置している。
したがって、ユニットケースは外方に露出する開口を有していないので、露出開口から悪戯されることはない。
【００１８】
【発明の実施の形態】
図１は、本発明の実施例のスマートカード用リードライド装置を装着した両替装置の斜視図である。
図２は、本発明の実施例のスマートカード用リードライド装置の一部断面平面図である。
図３は、本発明の実施例のスマートカード用リードライド装置の分解斜視図である。
図４は、本発明の実施例のスマートカード用リードライド装置の図２におけるＡ−Ａ線断面図である。
【００１９】
本発明は、自動販売機等各種装置のスマートカード用のリードライト装置に用いることができるが、両替装置（メダル貸し機）に用いた例を以下に説明する。
図１において、両替装置１０は、ボックス状であって、本体１１と本体１１の開口を閉じることができる前面カバー１２とを含んでいる。
本体１１内には、有価情報の処理装置、有価媒体払出装置等が配置されており、前面カバー１２を開いて処理装置や払出装置の点検、保守及び有価媒体の補給を行う。
前面カバー１２はほぼ垂立し、その上部中央には、スマートカート用のリードライド装置１３が取り付けられ、下部左側に有価媒体の受取口１４が形成されている。
【００２０】
したがって、利用者は、リードライド装置１３の上面の所定位置にスマートカードＳＣを接触（又は近接）させることにより、スマートカードＳＣとアンテナとの間で通信が行われ、前記処理装置で所定の処理が行われる。
この処理において、有効な有価情報が得られた場合、有価媒体の払出装置が作動され、前記有価情報に基づいた数の有価媒体が受取口１４に払い出される。
【００２１】
次にリードライド装置１３の構造を説明する。
リードライド装置１３は、ユニットケース１４、通信用アンテナ基板１５Ａ、１５Ｂ、１５Ｃ及び１５Ｄを含んでいる。
ユニットケース１４は、横長矩形の裏板１６、上向きフォーク状のスペーサ１７及び横長矩形の表板１８を含んでおり、これらは非磁性材料である樹脂により成形されている。
【００２２】
スペーサ１７のフォーク爪１７Ａ、１７Ｂ、１７Ｃ、１７Ｄ及び１７Ｅの間隔は、前記通信用アンテナ基板１５Ａ、１５Ｂ、１５Ｃ、１５Ｄの幅よりも僅かに大きく形成され、その厚みはアンテナ基板の厚みよりも僅かに厚く形成されている。
そして、スペーサ１７を裏板１６と表板１８とでサンドイッチして接着剤により一体化してある。
【００２３】
したがって、ユニットケース１４は、横長矩形の板状であり、一端に挿入開口１９Ａ、１９Ｂ、１９Ｃ及び１９Ｄを有する袋状のアンテナ穴２１Ａ、２１Ｂ、２１Ｃ及び２１Ｄが形成されている。
ユニットケース１４は、樹脂により一体成形することができる。
【００２４】
このアンテナ穴２１Ａ、２１Ｂ、２１Ｃ及び２１Ｄ内に、挿入開口１９Ａ、１９Ｂ、１９Ｃ及び１９Ｄを介してそれぞれアンテナ２２Ａ、２２Ｂ、２２Ｃ及び２２Ｄ及び通信回路を実装した矩形のアンテナ基板１５Ａ、１５Ｂ、１５Ｃ、１５Ｄを各アンテナ穴２１Ａ、２１Ｂ、２１Ｃ及び２１Ｄ内の底に密着するまで挿入してある。
なお、アンテナ基板１５Ａ、１５Ｂ、１５Ｃ及び１５Ｄに代えて、強度を持たせたアンテナ２２Ａ、２２Ｂ、２２Ｃ及び２２Ｄのみをアンテナ穴２１Ａ、２１Ｂ、２１Ｃ及び２１Ｄ内に配置してもよい。
【００２５】
そして前記アンテナ穴２１Ａに対応して凸部２３Ａ及び２３Ｂ、アンテナ穴２１Ｂに対応して凸部２３Ｃ及び２３Ｄ、アンテナ穴２１Ｃに対応して凸部２３Ｅ及び２３Ｆ、アンテナ穴２１Ｄに対応して凸部２３Ｇ及び２３Ｈを形成し、フォーク爪１７Ｂ、１７Ｃ及び１７Ｄに対応して凹部２４Ａ、２４Ｂ及び２４Ｃを形成したフォーク状のサポータ２５を前記挿入開口１９Ａ、１９Ｂ、１９Ｃ及び１９Ｄからアンテナ穴２１Ａ、２１Ｂ、２１Ｃ及び２１Ｄ内に挿入する。
【００２６】
これにより、それら凸部の先端を各アンテナ基板１５Ａ、１５Ｂ、１５Ｃ及び１５Ｄに突き当て、サポータ２５の上縁のノッチ２６Ａ及び２６Ｂにそれぞれ係止した板バネよりなるフック２７によって押圧している。
フック２７の下端部は、後述の垂直部３５に固定されている。
サポータ２５を使用しないことができるが、振動により、アンテナ基板１５Ａ、１５Ｂ、１５Ｃ及び１５Ｄの位置ずれが生じて通信エラーを生じる可能性がある。
【００２７】
凸部２３Ａ及び２３Ｂの間の溝２８Ａにはアンテナ基板１５Ａのリード線２９Ａが配置され、凸部２３Ｃ及び２３Ｄの間の溝２８Ｂにはアンテナ基板１５Ｂのリード線２９Ｂが配置され、凸部２３Ｅ及び２３Ｆの間の溝２８Ｃにはアンテナ基板１５Ｃのリード線２９Ｃが配置され、凸部２３Ｇ及び２３Ｈの溝２８Ｄにはアンテナ基板１５Ｄのリード線２９Ｄが配置される。
挿入された各アンテナに対応して表板１８の表面に金額標示がなされている。
【００２８】
図３に示すように、アンテナ２２Ａに相対して１０００円、アンテナ２２Ｂに相対して２０００円、アンテナ２２Ｃに相対して５０００円、アンテナ２２Ｄに対して１００００円が標示されており、スマートカードＳＣが選択された標示に近接されたとき、対応するアンテナを介してスマートカードＳＣと通信するよう設定されている。
この有価情報は任意に設定できる。
また、金額情報が一種類の場合、アンテナは一つでよい。
【００２９】
さらに、アンテナを一つ配置し、他に金額ボタンを配置して押された金額ボタンに対応して有価情報を通信するようにしてもよい。
ユニットケース１４は、アンテナから発せられる電磁波を吸収しない材料であれば、樹脂でなくともよい。
【００３０】
次にユニットケース１４の前面カバー１２への取り付け構造を説明する。
前面カバー１２の上部中央に横長矩形の開口３１が形成されている。
開口３１の周囲の前面カバー１２の裏面に、断面凹状の鉄製の補助カバー３２が溶接されている。
換言すれば、補助カバー３２は前面カバー１２と一体であるので、前面カバー１２の一部を構成する。
【００３１】
補助カバー３２は、開口３１の上縁に続いて両替装置１０の内方に向かって下方へ傾めに伸びる下向き傾斜部３３、第二下向き傾斜部３４、垂直部３５及び前面カバー１２側に向かって斜め下方に伸びる上向き傾斜部３６が形成されている。
この第二下向き傾斜部３４は、下向き傾斜部３３よりも前面カバー１２に対する傾斜角が大きく、横長スリット型のユニット装着開口３７が形成されている。
第二下向き傾斜部３４を第一下向き傾斜部３３の傾斜角度よりも大きくすることにより、ユニットケース１４の前面カバー１２に対する傾斜角度を小さくできる。
【００３２】
これにより、ユニットケース１４の下端部の前面カバー１２からの突出量が少なくとも、ユニットケース１４の面積を大きくできると共に本体１１内への突出量を小さくできる。
換言すれば、前面カバー１２からの突出量が少なくとも、アンテナ２２Ａ，２２Ｂ，２２Ｃ及び２２Ｄを配置することができると共に、本体１１内への突出量が小さいので、有価媒体の保留量を減少させることもない。
【００３３】
また、垂直部３５を設けず、下向き第二傾斜部３４に続いて上向き傾斜部３６を形成することができる。
この場合、ユニットケース１４の取り付け部の本体１１内への突出量が増加するが、有価媒体の保留量に対する影響は僅かである。
したがって、垂直部３５が存在する場合であっても、下向き傾斜部３４は上向き傾斜部３６に実質的に続いている範疇に含まれる。
【００３４】
このユニット装着開口３７に前記ユニットケース１４の裏板１６の上端部１６Ａを挿入してある。
表板１８の上端は、第二下向き傾斜部３４に突き当てられている。
この状態で、ユニットケース１４は、垂直部３５に溶接されたクランク状のブラケット３８にスクリュウ３９で固定してある。
【００３５】
このとき、前記挿入開口１９Ａ、１９Ｂ、１９Ｃ及び１９Ｄは、ユニット装着開口３７に面しており、前記サポータ２５が本体１１の内方から前記ユニット装着開口３７を通ってアンテナ穴２１Ａ、２１Ｂ、２１Ｃ及び２１Ｄ内に挿入可能である。
したがって、ユニット装着開口３７は幅（図４において左右方向）が極めて狭く、ユニットケース１４を取り除いてユニット装着開口３７を起点に前面カバー１２を破壊しようとしても困難である。
【００３６】
ユニットケース１４は、第二下向き傾斜部３４から両替装置１０の前方へ向かって斜め下方に突出し、その下端部が前面カバー１２よりも僅かに前方に突出している。
ユニットケース１４は、上向き傾斜部３６の中間に固定された支柱４１に固定され、上向き傾斜部３６と所定の間隔でほぼ平行に配置されている。
【００３７】
この間隔は、アンテナ２２Ａ、２２Ｂ、２２Ｃ及び２２Ｄが上向き傾斜部３６を構成する鉄板に電磁波が吸収減衰されてスマートカードＳＣとの通信に影響を与えない距離である。
この支柱４１は、ユニットケース１４のみで十分な強度が得られる場合、装着しなくとも良い。
【００３８】
実施例のように補助カバー３２によって両替装置１０の内方にユニット装着開口３７を形成した場合、ユニットケース１４の前面カバー１２からの突出量が少なく、設置スペースはほとんど増加しない。
また、ユニットケース１４の突出量が少ないので、利用者が突出部に接触して怪我をすることも防止できる。
【００３９】
次に、スマートカードＳＣを使用する際の態様を説明する。
スマートカードＳＣは、図４に示すように、通常親指と人差し指の中間によりその端部を摘んで保持される。
利用者は、スマートカードＳＣを所定の金額、例えば１０００円の標示部に接触させる。
【００４０】
この近接により、アンテナ２２Ａを介して前記処理回路がスマートカードＳＣのＩＣに記憶された有価情報にアクセスし、その有価情報から１０００円を引き落とし、残額をスマートカードＳＣの記憶部に記憶させる。
この処理が終了すると、処理回路は、音又は光によって処理が終了したことを利用者に知らせる。
【００４１】
スマートカードＳＣをユニットケース１４に接触させる際、ユニットケース１４が利用者側に向かって前下がりに傾斜しているので、手を自然に翳した状態で接触が可能であり、さらに、前面カバー１２から突出しているので、小指部が前面カバー１２に接触することがなく極めて容易に接触動作が可能である。
【００４２】
アンテナ基板１５Ａ，１５Ｂ，１５Ｃ又は１５Ｄが故障した場合、前面カバー１２を開き、フック２７を外してサポータ２５を引き抜いた後、アンテナ基板を交換し、再びサポータ２５を挿入してフック２７で係止することにより、簡単に交換できる。
なお、本発明は、補助カバー３２を設けることなく、前面カバー１２からユニットケース１４を前方に向かって斜め下方に突出してもよい。
【００４３】
【図面の簡単な説明】
図１は、本発明の実施例のスマートカード用リードライド装置を装着した両替装置の斜視図である。
図２は、本発明の実施例のスマートカード用リードライド装置の一部断面平面図である。
図３は、本発明の実施例のスマートカード用リードライド装置の分解斜視図である。
図４は、本発明の実施例のスマートカード用リードライド装置の図２におけるＡ−Ａ線断面図である。
【符号の説明】
１２                前面カバー
１４                ユニットケース
１５Ａ，１５Ｂ，１５Ｃ，１５Ｄ  アンテナ基板
２１Ａ，２１Ｂ，２１Ｃ，２１Ｄ  アンテナ穴
２２Ａ，２２Ｂ，２２Ｃ，２２Ｄ  アンテナ
２５                サポータ
３４                下向き傾斜部
３６                上向き傾斜部
３７                ユニット装着開口
【図１】
2004227092.tif 000003
【図２】
2004227092.tif 000004
【図３】
2004227092.tif 000005
【図４】
2004227092.tif 000006